(57)【要約】【課題】  除毛処理において、体毛処理装置のヘッド部に残留していた毛くずなどのゴミが肌面に付着することにより使用者へ不快感を与えることを抑制することができるようにする。【解決手段】  剤供給装置１において、体毛処理装置２に設けられたヘッド部３を洗浄部１２によって洗浄した後に、剤供給部１３を駆動してヘッド部３に処理剤Ａを供給するようにする。【選択図】      図７
2007089714.tif 000002
【特許請求の範囲】
【請求項１】
体毛処理装置に設けられた除毛を行うヘッド部を洗浄する洗浄部と、
除毛の際に用いられる処理剤を前記ヘッド部に供給する剤供給部と、
前記洗浄部による前記ヘッド部の洗浄が終了した後に、前記剤供給部を駆動する制御手段と、
を備える剤供給装置。
【請求項２】
前記洗浄部は、洗浄液によって前記ヘッド部を洗浄し、
前記処理剤は、粉末状であり、
前記制御手段は、前記洗浄部に洗浄されて洗浄液が付着した状態の前記ヘッド部に対して、前記剤供給部に前記処理剤を供給させる請求項１に記載の剤供給装置。
【請求項３】
前記処理剤は、粉末状であり、
前記剤供給部は、前記処理剤を液体と共に吐出して前記ヘッド部に供給する請求項１に記載の剤供給装置。
【請求項４】
前記ヘッド部を、前記洗浄部による洗浄を受ける洗浄位置と前記剤供給部による前記処理剤の供給を受ける供給位置とに選択的に移動させる支持部を備え、
前記制御手段は、前記洗浄部による洗浄のときには前記ヘッド部が前記洗浄位置に位置し、前記剤供給部による前記処理剤の供給のときには前記ヘッド部が前記供給位置に位置するように、前記支持部を駆動する請求項１に記載の剤供給装置。
【請求項５】
前記ヘッド部を乾燥させる乾燥部を備え、
前記制御手段は、前記剤供給部による前記ヘッド部への前記処理剤の供給がされた後、前記乾燥部を駆動する請求項２又は３に記載の剤供給装置。
【請求項６】
前記洗浄部は、前記洗浄液を濾過するフィルタ部を有する一方、前記剤供給部は、前記処理剤を貯蔵する剤容器を有し、これらフィルタ部と剤容器とは、一体化されてカートリッジを構成しており、
このカートリッジを着脱自在に支持するカートリッジ支持部を備える請求項１に記載の剤供給装置。
【請求項７】
除毛を行うヘッド部と除毛の際に用いられる処理剤を肌面に供給する肌面用剤供給部とを備える体毛処理装置の前記ヘッド部を洗浄する洗浄部と、
前記肌面用剤供給部に前記処理剤を供給する剤供給部と、
前記洗浄部の駆動と前記剤供給部の駆動とを１セットで行う制御手段と、
を備える剤供給装置。
【請求項８】
前記体毛処理装置は、肌面上の前記処理剤を回収する剤回収部を備え、
前記洗浄部は、前記剤回収部を洗浄する請求項１又は７に記載の剤供給装置。
【請求項９】
前記剤供給部が前記処理剤を供給する際に、前記ヘッド部が該体毛処理装置の下端部となるように前記体毛処理装置を支持する支持部を備える請求項１又は７に記載の剤供給装置。
【請求項１０】
体毛処理装置に設けられた除毛を行うヘッド部を洗浄する洗浄部と、
前記洗浄部による前記ヘッド部の洗浄が終了した後に、除毛の際に用いられる処理剤を前記ヘッド部に供給可能な剤供給部と、
を備える剤供給装置。
【発明の詳細な説明】
【技術分野】
【０００１】
本発明は、除毛処理として体毛を剃ったり引き抜いたりする体毛処理装置に処理剤を供給する剤供給装置に関する。
【背景技術】
【０００２】
従来、電気かみそりや脱毛装置などの体毛処理装置の除毛処理を行うヘッド部に、シェービングローションなどの処理剤を供給する剤供給装置が提案されている（例えば、特許文献１参照）。これにより、除毛処理においてヘッド部から肌面に処理剤が塗布されて肌面の滑り性が向上する。
【０００３】
また、体毛処理装置の中には、除毛処理中に肌面に処理剤を供給する剤供給部を備えるものもある。
【特許文献１】特開２００３−３３９４２５号公報
【発明の開示】
【発明が解決しようとする課題】
【０００４】
しかしながら、このように肌面に処理剤を供給して、体毛処理装置により除毛処理を行うと、除毛処理を行うヘッド部に処理剤の残りや毛くずなどのゴミが付着してヘッド部が汚れた状態となる。そして、次回の除毛処理時に、このヘッド部に新しい処理剤が供給されることにより、ヘッド部に残留している毛くずなどのゴミが新しい処理剤と混ざって使用者の肌面に付着し、使用者に不快感を与えてしまうという問題がある。
【０００５】
本発明の目的は、除毛処理において、体毛処理装置のヘッド部に残留していた毛くずなどのゴミが肌面に付着することにより使用者へ不快感を与えることを抑制するができるようにすることである。
【課題を解決するための手段】
【０００６】
請求項１に記載の発明の剤供給装置は、体毛処理装置に設けられた除毛を行うヘッド部を洗浄する洗浄部と、除毛の際に用いられる処理剤を前記ヘッド部に供給する剤供給部と、前記洗浄部による前記ヘッド部の洗浄が終了した後に、前記剤供給部を駆動する制御手段と、を備える。
【０００７】
請求項２に記載の発明は、請求項１に記載の剤供給装置において、前記洗浄部は、洗浄液によって前記ヘッド部を洗浄し、前記処理剤は、粉末状であり、前記制御手段は、前記洗浄部に洗浄されて洗浄液が付着した状態の前記ヘッド部に対して、前記剤供給部に前記処理剤を供給させる。
【０００８】
請求項３に記載の発明は、請求項１に記載の剤供給装置において、前記処理剤は、粉末状であり、前記剤供給部は、前記処理剤を液体と共に吐出して前記ヘッド部に供給する。
【０００９】
請求項４に記載の発明は、請求項１に記載の剤供給装置において、前記ヘッド部を、前記洗浄部による洗浄を受ける洗浄位置と前記剤供給部による前記処理剤の供給を受ける供給位置とに選択的に移動させる支持部を備え、前記制御手段は、前記洗浄部による洗浄のときには前記ヘッド部が前記洗浄位置に位置し、前記剤供給部による前記処理剤の供給のときには前記ヘッド部が前記供給位置に位置するように、前記支持部を駆動する。
【００１０】
請求項５に記載の発明は、請求項２又は３に記載の剤供給装置において、前記ヘッド部を乾燥させる乾燥部を備え、前記制御手段は、前記剤供給部による前記ヘッド部への前記処理剤の供給がされた後、前記乾燥部を駆動する。
【００１１】
請求項６に記載の発明は、請求項１に記載の剤供給装置において、前記洗浄部は、前記洗浄液を濾過するフィルタ部を有する一方、前記剤供給部は、前記処理剤を貯蔵する剤容器を有し、これらフィルタ部と剤容器とは、一体化されてカートリッジを構成しており、このカートリッジを着脱自在に支持するカートリッジ支持部を備える。
【００１２】
請求項７に記載の発明の剤供給装置は、除毛を行うヘッド部と除毛の際に用いられる処理剤を肌面に供給する肌面用剤供給部とを備える体毛処理装置の前記ヘッド部を洗浄する洗浄部と、前記肌面用剤供給部に前記処理剤を供給する剤供給部と、前記洗浄部の駆動と前記剤供給部の駆動とを１セットで行う制御手段と、を備える。
【００１３】
請求項８に記載の発明は、請求項１又は７に記載の剤供給装置において、前記体毛処理装置は、肌面上の前記処理剤を回収する剤回収部を備え、前記洗浄部は、前記剤回収部を洗浄する。
【００１４】
請求項９に記載の発明は、請求項１又は７に記載の剤供給装置において、  前記剤供給部が前記処理剤を供給する際に、前記ヘッド部が該体毛処理装置の下端部となるように前記体毛処理装置を支持する支持部を備える。
【００１５】
請求項１０に記載の発明の剤供給装置は、体毛処理装置に設けられた除毛を行うヘッド部を洗浄する洗浄部と、前記洗浄部による前記ヘッド部の洗浄が終了した後に、除毛の際に用いられる処理剤を前記ヘッド部に供給可能な剤供給部と、を備える。
【発明の効果】
【００１６】
請求項１に記載の発明によれば、洗浄部によるヘッド部の洗浄が終了した後に、剤供給部が駆動されることにより、残留していた毛くずなどのゴミが取り除かれた状態の清潔なヘッド部に処理剤が供給されるので、除毛処理において、ヘッド部に残留していたゴミが肌面に付着することがなく、よって、ヘッド部に残留していた毛くずなどのゴミが肌面に付着することにより使用者へ不快感を与えることを抑制することができる。
【００１７】
請求項２に記載の発明によれば、洗浄液が付着した状態のヘッド部に粉末状の処理剤が供給されるので、洗浄液によって粉末状の処理剤を確実にヘッド部に付着させることができる。これにより、粉末状の処理剤による大きな肌滑り効果を得ることができる。
【００１８】
請求項３に記載の発明によれば、粉末状の処理剤が液体と共に吐出されてヘッド部に供給されることにより、液体によって粉末状の処理剤を確実にヘッド部に付着させることができる。これにより、粉末状の処理剤による大きな肌滑り効果を得ることができる。
【００１９】
請求項４に記載の発明によれば、洗浄部による洗浄のときにはヘッド部が洗浄位置に位置し、剤供給部による処理剤の供給のときにはヘッド部が供給位置に位置するので、洗浄液と処理剤とが混ざることを抑制することができ、これにより、洗浄液と処理剤とのそれぞれの機能が低下することを抑制することができる。
【００２０】
請求項５に記載の発明によれば、処理剤が供給された後のヘッド部が乾燥部によって乾燥されるので、ヘッド部を肌面に当てても、洗浄液や液体による濡れ感や冷たさ感を使用者に与えることがない。よって、濡れ感や冷たさ感を好まない使用者に対して不快感を与えることを抑制することができる。
【００２１】
請求項６に記載の発明によれば、フィルタ部と剤容器とが、カートリッジを構成していることにより、フィルタ部と剤容器とを一つの交換作業で同時に交換することができるので、交換作業の手間を低減することができる。
【００２２】
請求項７に記載の発明によれば、洗浄部の駆動と剤供給部の駆動とが１セットで行われることにより、これらの駆動処理が終了すると、体毛処理装置のヘッド部はゴミが取り除かれて清潔な状態であると共に、肌面用剤供給部には処理剤が供給された状態となっているので、この体毛処理装置を使用する際には、清潔な状態のヘッド部に肌面用剤供給部から処理剤を供給して除毛処理を行うことができる。よって、除毛処理において、ヘッド部に残留していた毛くずなどのゴミが肌面に付着することにより使用者へ不快感を与えることを抑制することができる。
【００２３】
請求項８に記載の発明によれば、洗浄部が、体毛処理装置の剤回収部を洗浄することにより、剤回収部を清潔にすることができる。
【００２４】
請求項９に記載の発明によれば、ヘッド部を体毛処理装置の下端部に位置させた状態で剤供給部によって処理剤が供給されるので、処理剤がヘッド部以外の体毛処理装置の他の部分に垂れ落ちることを抑制することができる。よって、体毛処理装置のヘッド部以外の他の部分（グリップ部）を把持した使用者の手に処理剤が付着して使用者に不快感を与えることを抑制することができる。
【００２５】
請求項１０に記載の発明によれば、洗浄部によるヘッド部の洗浄が終了した後に、処理剤をヘッド部に供給可能であることにより、残留していた毛くずなどのゴミが取り除かれた状態の清潔なヘッド部に処理剤を供給することがきるので、除毛処理において、ヘッド部に残留していたゴミが肌面に付着することがなく、よって、ヘッド部に残留していた毛くずなどのゴミが肌面に付着することにより使用者へ不快感を与えることを抑制することができる。
【発明を実施するための最良の形態】
【００２６】
［第１の実施形態］
本発明の第１の実施形態を図１ないし図１１に基づいて説明する。
【００２７】
図１は、本実施形態にかかる剤供給装置１を体毛処理装置２と共に示す斜視図である。図１に示すように、剤供給装置１は、体毛処理装置２を支持して、体毛処理装置２のヘッド部３に対して洗浄及び処理剤Ａの供給を行うものである。この剤供給装置１は、体毛処理装置２と共に体毛処理システムを構成している。
【００２８】
体毛処理装置２について説明する。図２は、体毛処理装置２を示す正面図、図３は、体毛処理装置２を示す底面図である。図２及び図３に示すように、体毛処理装置２は、体毛の除去を切断にて行うヘッド部３とグリップ部４とから構成された電気かみそりである。
【００２９】
ヘッド部３は、ケース５とこのケース５に設けられた刃部６とから構成されている。刃部６は、固定刃である外刃６ａとこの外刃６ａの内側に配設された可動刃である内刃とを有しており、内刃が往復動することにより、外刃６ａと内刃とによって体毛を切断する構成となっている。
【００３０】
グリップ部４には、図示しない制御部や充電式電池が内蔵されている。ここで、体毛処理装置２は、電気かみそりの他に、例えば、体毛を脱毛する脱毛装置であってもよい。
【００３１】
次に、剤供給装置１の各部を詳しく説明する。図４は、剤供給装置１を示す縦断側面図、図５は、体毛処理装置２を支持した状態の剤供給装置１を示す縦断側面図、図６は、洗浄時の剤供給装置１を示す断面側面図、図７は、剤供給時の剤供給装置１を示す縦断側面図、図８は、カートリッジ３３を示す断面斜視図、図９は、剤供給装置１の支持部１１を示し、（ａ）は、正面図、（ｂ）は、側面図である。
【００３２】
図４ないし図７に示すように、剤供給装置１は、体毛処理装置２を着脱自在に支持する支持部１１と、この支持部１１に支持された体毛処理装置２のヘッド部３を洗浄する洗浄部１２と、洗浄後のヘッド部３に粉末状の処理剤Ａを供給する剤供給部１３と、処理剤Ａが供給されたヘッド部３を乾燥させる乾燥部１４とを備えている。また、この剤供給装置１は、洗浄部１２や剤供給部１３、乾燥部１４が設けられた筐体１５を備えている。ここで、粉末状の処理剤Ａは、体毛処理装置２による除毛の際に用いられるものであり、例えば、肌面の滑り性を向上させるものである。
【００３３】
洗浄部１２は、気密に形成され洗浄液Ｂを貯留するタンク１６と、タンク１６から供給される洗浄液Ｂを一時的に貯留する洗浄皿１７と、この洗浄皿１７から排出される洗浄液Ｂを濾過するフィルタ部１８と、このフィルタ部１８から排出される洗浄液Ｂをタンク１６に戻して洗浄液Ｂを洗浄部１２内で循環させるポンプ１９と、を備えている。
【００３４】
タンク１６には、タンク１６に貯留されている洗浄液Ｂを洗浄皿１７に吐出する吐出パイプ２０と、タンク１６に洗浄液Ｂを供給するための供給パイプ２１と、タンク１６の内圧を調整する弁装置２２とが設けられている。
【００３５】
吐出パイプ２０の吸入口２０ａは、タンク１６内の洗浄液Ｂ中に浸されている一方、吐出パイプ２０の吐出口２０ｂは、洗浄皿１７に洗浄液Ｂを供給可能にタンク１６の外部に配置されている。
【００３６】
供給パイプ２１は、ポンプ１９の吐出側とタンク１６内とを連通している。
【００３７】
弁装置２２は、電磁弁２３とこの電磁弁２３を介してタンク１６内外を連通する連通パイプ２４とから構成されている。
【００３８】
洗浄皿１７は、上面開口に形成されると共に、その底壁には、排出口１７ａが形成されている。
【００３９】
フィルタ部１８は、洗浄皿１７の下方に連設されている。フィルタ部１８は、フィルタケース２５内にフィルタ２６が設けられて構成されている。フィルタケース２５の上壁には、洗浄皿１７の排出口１７ａに連通した流入口２５ａが形成される一方、フィルタケース２５の側壁には、排出口２５ｂが設けられており、この排出口２５ｂが接続パイプ２７を介してポンプ１９に接続されている。
【００４０】
この洗浄部１２では、電磁弁２３が閉じられた状態で気密性が保たれたタンク１６内に、ポンプ１９から洗浄液Ｂや空気がタンク１６に供給されることにより、タンク１６の内圧が上昇し、タンク１６内の洗浄液Ｂが吐出パイプ２０から洗浄皿１７に吐出される。一方、電磁弁２３が開かれた状態で、ポンプ１９から洗浄液Ｂ又は空気がタンク１６に供給された場合には、タンク１６内の空気が、連通パイプ２４からタンク１６の外部へ排気される。この場合には、洗浄液Ｂが吐出パイプ２０から吐出されることがない。したがって、このときには、洗浄皿１７の洗浄液Ｂがタンク１６内に回収される。
【００４１】
剤供給部１３は、処理剤Ａを貯蔵する剤容器２８と、この剤容器２８にパイプ２９を介して吸入側が連通されたポンプ３０と、このポンプ３０の吐出側にパイプ３１を介して連通された剤吐出口３２とから構成されている。これらの剤容器２８、ポンプ３０、吐出口２０ｂは、この順で下から上に配設されている。
【００４２】
剤容器２８は、その上壁に貫通孔２８ａが形成されており、この貫通孔２８ａがパイプ２９に接続されている。剤容器２８は、フィルタ部１８のフィルタケース２５に一体形成されており、これにより、剤容器２８とフィルタ部１８とが一体化されてカートリッジ３３を構成している（図８）。このカートリッジ３３は、筐体１５に対して前方から着脱自在となっている。即ち、筐体１５には、カートリッジ３３を着脱自在に支持するカートリッジ支持部１５ａが設けられている。
【００４３】
剤吐出口３２は、後方斜め上方に向けて剤を吐出するものであり、後述するように支持部１１によって供給位置（セット位置）に位置付けられたヘッド部３に対向する位置に設けられている。
【００４４】
ポンプ３０は、例えば、歯車ポンプや、ダイヤフラムポンプ、ファンポンプなどを例示することができる。
【００４５】
この剤供給部１３では、ポンプ３０が動作することにより、剤供給部１３に貯蔵されている粉末状の剤が剤吐出口３２からヘッド部３に向けて吐出され、これにより、ヘッド部３に剤が供給される。
【００４６】
乾燥部１４は、剤供給部１３の上方に配置されている。この乾燥部１４は、ファンケース３４と、このファンケース３４に内蔵されたファン３５と、ファンケース３４に内蔵されてファン３５を回動駆動するファンモータ３６（図１０参照）と、ファンケース３４に内蔵された熱線（図示せず）とから構成されている。
【００４７】
ファンケース３４には、空気を吸い込む吸込口（図示せず）と、空気を送風する送風口３４ａとが設けられている。送風口３４ａは、後方斜め下方に向けて開口しており、後述するように支持部１１によって供給位置に位置付けられたヘッド部３に対向する位置に設けられている。
【００４８】
この乾燥部１４では、通電された熱線が発熱した状態で、ファンモータ３６によってファン３５が回動駆動されることにより、吸込口から吸いこんだ空気を熱線によって暖めて送風口３４ａからヘッド部３に送風する。
【００４９】
支持部１１は、タンク１６の上面に立設された固定部３８と、この固定部３８に軸３９を介して回動自在に設けられると共に体毛処理装置２を着脱自在に支持するアーム部４０とを有している。
【００５０】
アーム部４０は、体毛処理装置２を支持するものであり、体毛処理装置２の背面と底面とに沿った形状に形成されそれら背面と底面とを支持する支持壁４０ａが形成されている。図９に示すように、この支持壁４０ａには、体毛処理装置２の背面に形成された２つの嵌合凹部４ａ（図２参照）及び底面に形成された１つの嵌合凹部４ａ（図３参照）に取り外し可能に嵌合する嵌合凸部４０ｂが立設されている。
【００５１】
このアーム部４０は、支持した体毛処理装置２のヘッド部３を供給位置（図５）と洗浄位置（図６）とに選択的に移動可能に回動自在とされており、モータ４１（図１０参照）によって回動駆動される。供給位置は、ヘッド部３が剤供給部１３の剤吐出口３２及び乾燥部１４の送風口３４ａに対向し、剤供給部１３による処理剤Ａの供給を受けることと、乾燥部１４による送風を受けることとが可能な位置である。この供給位置は、体毛処理装置２を該剤供給装置１にセットする位置であるセット位置でもある。洗浄位置は、ヘッド部３が洗浄部１２の洗浄皿１７中に位置し洗浄部１２による洗浄を受けることが可能な位置である。これら供給位置及び洗浄位置では、ヘッド部３が体毛処理装置２の下端部となる。即ち、ヘッド部３の外面が下向きとなる。
【００５２】
また、体毛処理装置２の底面に設けられた嵌合凹部４ａと、この嵌合凹部４ａに対応する支持部１１の嵌合凸部４０ｂには、それぞれ接続端子（図示せず）が設けられている。そして、アーム部４０に体毛処理装置２が固定されることにより、それら接続端子同士が接続され、これにより、例えば商用電源に接続された剤供給装置１から体毛処理装置２へ電気が供給されて、体毛処理装置２が充電されるようになっている。
【００５３】
図１０は、剤供給装置１の電気系を示すブロック図である。図１０に示すように、剤供給装置１は、各部を駆動制御する制御部４２を備えている。この制御部４２は、電子回路によって構成されている。そして、制御部４２には、ポンプ１９，３０、電磁弁２３、ファンモータ３６、モータ４１、メインスイッチ４３、電源回路（図示せず）などが接続されており、これにより、制御部４２による剤供給装置１の各部の駆動制御が可能となっている。ここで、メインスイッチ４３は、洗浄部１２のタンク１６の上面に配設されている（図４参照）。
【００５４】
次に、制御部４２が行う処理を剤供給装置１の各部の動作と共に説明する。図１１は、剤供給装置１の剤供給処理の流れを示すフローチャートである。
【００５５】
図１１に示すように、メインスイッチ４３がＯＮ操作された場合には、ヘッド部３の洗浄を行う（ステップＳ１）。具体的には、モータ４１を駆動して、体毛処理装置２を支持したアーム部４０を供給位置から洗浄位置に回動する（図６）。ここに、洗浄部１２による洗浄のときにはヘッド部３が洗浄位置に位置するように支持部１１を駆動する制御手段の機能が実行される。次に、ポンプ１９を駆動して、タンク１６内の洗浄液Ｂを洗浄皿１７に供給して、ヘッド部３を洗浄液Ｂ中に浸す。このとき、洗浄液Ｂは、洗浄皿１７の排出口１７ａから微量ずつフィルタケース２５内に排出され、フィルタ２６によって濾過される。濾過された洗浄液Ｂは、ポンプ１９によって再びタンク１６に戻される。そして、タンク１６に戻された洗浄液Ｂの量と同じ量の洗浄液Ｂがタンク１６の吐出パイプ２０から洗浄皿１７に供給される。このとき、ポンプ１９は、洗浄皿１７から洗浄液Ｂが溢れないように駆動制御される。このようにして、洗浄液Ｂが、ポンプ１９によって洗浄部１２中を循環される。そして、ヘッド部３が洗浄皿１７の洗浄液Ｂに浸った状態を規定時間維持することにより、体毛処理装置２のヘッド部３に付着している髭屑や皮脂などがヘッド部３から取り除かれ、ヘッド部３が洗浄される。このとき、例えば、体毛処理装置２の刃部６の内刃を駆動してヘッド部３を振動させることにより、洗浄効果をより上げることができる。また、このとき、洗浄液Ｂ中の髭屑や皮脂などゴミは、フィルタ２６によって除去されるので、清潔な状態の洗浄液Ｂによってヘッド部３を確実に洗浄することができる。
【００５６】
次に、このような洗浄動作を行なった後、ポンプ１９を駆動した状態で、電磁弁２３を開弁させて、洗浄皿１７の洗浄液Ｂを全てタンク１６へ戻し、洗浄皿１７を空にすると共に、モータ４１を駆動して、体毛処理装置２を支持したアーム部４０を供給位置から洗浄位置に回動する。（図５）。ここに、剤供給部１３による処理剤Ａの供給のときにはヘッド部３が供給位置に位置するように支持部１１を駆動する制御手段の機能が実行される。
【００５７】
次に、体毛処理装置２のヘッド部３に剤を供給する（ステップＳ２）。具体的には、ポンプ３０を駆動して、剤容器２８に貯蔵されている処理剤Ａを剤吐出口３２からヘッド部３に向けて吐出して、ヘッド部３に供給する（図７）。このとき、ヘッド部３は、洗浄液Ｂが付着した状態となっている。即ち、本実施形態では、洗浄液Ｂが付着して濡れた状態のヘッド部３に処理剤Ａを供給している。ここに、洗浄部１２によるヘッド部３の洗浄が終了した後に、剤供給部１３を駆動する制御手段の機能、及び、洗浄部１２に洗浄されて洗浄液が付着した状態のヘッド部３に対して、剤供給部１３によって処理剤Ａを供給させる制御手段の機能が実行される。これにより、処理剤Ａが洗浄液Ｂによってヘッド部３に確実に付着する。
【００５８】
次に、乾燥部１４のファンモータ３６を駆動して送風口３４ａから温風をヘッド部３に吹き付けて、ヘッド部３の余分な水分（洗浄液Ｂ）を蒸発させて、ヘッド部３を乾燥させる（ステップＳ３）。これにより、粉末状の処理剤Ａのみがヘッド部３に強固に付着して残る。ここに、剤供給部１３によるヘッド部３への処理剤Ａの供給がされた後、乾燥部１４を駆動する制御手段の機能が実行される。
【００５９】
また、この処理中には、剤供給装置１の接続端子から体毛処理装置２の接続端子へ電気が供給されて、体毛処理装置２が充電される。
【００６０】
そして、このように処理剤Ａが供給された体毛処理装置２によってシェービング動作を行う際には、使用者は、体毛処理装置２を支持部１１から取り外して、ヘッド部３を肌面に当ててシェービング動作を行うこととなる。このシェービング動作により、ヘッド部３に付着した処理剤Ａが肌面に供給されるので、肌面に粉末状の処理剤Ａを塗布しながらのシェービングが可能となり、これにより、肌滑り効果や肌荒れ抑制効果が発揮され、心地良いシェービング感を得ることができる。
【００６１】
以上説明したように、本実施形態によれば、洗浄部１２によるヘッド部３の洗浄が終了した後に、剤供給部１３が駆動されることにより、残留していた毛くずなどのゴミが取り除かれた状態の清潔なヘッド部３に処理剤Ａが供給されるので、ヘッド部３に残留していた毛くずなどのゴミが肌面に付着することがない。よって、除毛処理において、ヘッド部３に残留していた毛くずなどのゴミが肌面に付着することにより使用者へ不快感を与えることを抑制することができる。
【００６２】
また、本実施形態によれば、洗浄液Ｂが付着した状態のヘッド部３に粉末状の処理剤Ａが供給されるので、洗浄液Ｂによって粉末状の処理剤Ａを確実にヘッド部３に付着させることができる。これにより、粉末状の処理剤Ａによる大きな肌滑り効果を得ることができる。また、これにより、処理剤Ａがヘッド部３からこぼれたりヘッド部３に当たって飛び散ったりすることをより確実に抑制することができる。
【００６３】
また、本実施形態によれば、洗浄部１２による洗浄のときにはヘッド部３が洗浄位置に位置し、剤供給部１３による処理剤Ａの供給のときにはヘッド部３が供給位置に位置するので、洗浄液Ｂと処理剤Ａとが混ざることを抑制することができ、これにより、洗浄液Ｂと処理剤Ａとのそれぞれの機能が低下することを抑制することができる。
【００６４】
また、本実施形態によれば、処理剤Ａが供給された後のヘッド部３が乾燥部１４によって乾燥されるので、ヘッド部３を肌面に当てても、洗浄液Ｂによる濡れ感や冷たさ感を使用者に与えることがない。よって、濡れ感や冷たさ感を好まない使用者に対して不快感を与えることを抑制することができる。
【００６５】
また、本実施形態によれば、フィルタ部１８と剤容器２８とが、カートリッジ３３を構成していることにより、フィルタ部１８と剤容器２８とを一つの交換作業で同時に交換することができるので、交換作業の手間を低減することができる。また、フィルタ部１８と剤容器２８とが、独立している場合に比べて安価な構成とすることができる。
【００６６】
また、本実施形態によれば、支持部１１に支持された体毛処理装置２の下端部に位置するヘッド部３に処理剤Ａを供給するので、処理剤Ａがヘッド部３以外の体毛処理装置２の他の部分（グリップ部４）に垂れ落ちることを抑制することができる。よって、体毛処理装置の２ヘッド部３以外の他の部分（グリップ部４）を把持した使用者の手に処理剤Ａが付着して使用者に不快感を与えることを抑制することができる。
【００６７】
また、支持部１１に支持された体毛処理装置２の下端部に位置するヘッド部３に処理剤Ａを供給するので、ヘッド部３の内部に処理剤Ａが入り込むことを抑制することができる。
【００６８】
また、本実施形態では、剤供給装置１から体毛処理装置２に処理剤Ａが供給されることにより、体毛処理装置２には、処理剤Ａを格納する構造及びヘッド部３に処理剤Ａを供給する構造を設ける必要がないので、その分、体毛処理装置２を小型化することができる。
【００６９】
また、本実施形態では、剤吐出口３２からヘッド部３への処理剤Ａの供給がヘッド部３の刃部６になされるので、刃部６は直接肌面に接触する部位であることから、肌面に処理剤Ａをより容易に塗布することができる。
【００７０】
また、体毛処理装置２を支持部１１に固定した状態において、体毛処理装置２の底面に設けられた接続端子と、支持部１１に設けられた接続端子とが接続され、それらの接続端子を介して剤供給装置１から体毛処理装置２へ電気が供給されて、体毛処理装置２が充電されるので、洗浄及び剤供給後の体毛処理装置２が充電されているので、シェービング時の電池切れを抑制でき、使い勝手が良い。
【００７１】
［第２の実施形態］
次に、本発明の第２の実施形態を図１２に基づいて説明する。前述した実施形態と同じ部分は、同一符号で示し説明も省略する（以降の実施形態についても同様）。図１２は、本実施形態にかかる剤供給装置１Ａを体毛処理装置２と共に示す縦断側面図である。
【００７２】
本実施形態では、粉末状の処理剤Ａと、例えば水などの液体Ｃとが混合されて構成された混合液Ｄが剤容器２８Ａに貯蔵されており、剤供給部は、処理剤Ａを液体Ｃと共に吐出（噴霧）する。
【００７３】
また、剤供給部１３Ａには、攪拌部５１が設けられている。攪拌部５１は、剤容器２８Ａ内に回動自在に設けられた攪拌材５２と、この攪拌材５２を回動駆動するモータ５３とを有している。攪拌部５１は、攪拌材５２をモータ５３によって回動させることで、剤供給部１３Ａ内の混合液Ｄを攪拌するようになっている。このような攪拌動作は、剤供給部１３Ａから処理剤Ａがヘッド部３に供給される前及び供給中に行なわれる。
【００７４】
このような構成によれば、粉末状の処理剤Ａが液体Ｃと共に吐出されてヘッド部３に供給されることにより、液体Ｃによって粉末状の処理剤Ａを確実にヘッド部３に付着させることができる。これにより、粉末状の処理剤Ａによる大きな肌滑り効果を得ることができる。また、これにより、処理剤Ａがヘッド部３からこぼれたりヘッド部３に当たって飛び散ったりすることをより確実に抑制することができる。
【００７５】
また、本実施形態では、攪拌部５１によって剤供給部１３Ａ内の混合液Ｄが攪拌されるので、混合液Ｄの混合状態を均一な状態とすることができ、処理剤Ａをヘッド部３にムラ無く均一に付着させることがでる。また、処理剤Ａが肌滑りをより向上させる径の大きな処理剤Ａであっても、この攪拌材５２の回転によって、満遍なく攪拌することができる。
【００７６】
［第３の実施形態］
次に、本発明の第３の実施形態を図１３に基づいて説明する。図１３は、本実施形態にかかる剤供給装置１Ｂを体毛処理装置２Ｂと共に示す縦断側面図である。
【００７７】
本実施形態では、体毛処理装置２Ｂに、肌面に処理剤Ａを供給する肌面用剤供給部６１と、肌面上の処理剤Ａを回収するための剤回収部６２とが設けられており、剤供給装置１Ｂは、剤回収部６２を洗浄すると共に肌面用剤供給部６１に処理剤Ａを供給する構成となっている。
【００７８】
体毛処理装置２Ｂの肌面用剤供給部６１と剤回収部６２とは、ヘッド部３を間にして設けられている。肌面用剤供給部６１は、処理剤Ａを貯蔵する剤容器６３と、この剤容器６３に連結され処理剤Ａを吐出する剤吐出口６４と、剤容器６３中の処理剤Ａを剤吐出口６４に供給する吐出ポンプ６５とから構成され、吐出ポンプ６５が駆動されることにより、剤容器６３中の処理剤Ａを剤吐出口６４から吐出する。剤容器６３の底部には、逆止弁６６が設けられており、通常時は、逆止弁６６が閉まった状態となっている。
【００７９】
剤回収部６２は、処理剤Ａを吸引するための吸引口６７と、この吸引口６７に吸引側が接続された吸引ポンプ６８と、吸引ポンプ６８の吐出側に連結された剤回収容器６９とから構成されており、吸引ポンプ６８が駆動されることにより、肌面上の処理剤Ａを吸引口６７から吸い込んで、吸い込んだ処理剤Ａを剤回収容器６９に回収するようになっている。剤回収容器６９の底部には、貫通孔６９ａが形成されると共に、この貫通孔６９ａを開閉する蓋７０が回動自在に設けられている。この蓋７０は、自重によって回動し貫通孔６９ａを開閉するようになっている。
【００８０】
剤供給装置１Ｂについて説明する。支持部１１Ｂのアーム部４０Ｂには、体毛処理装置２Ｂの肌面用剤供給部６１に処理剤Ａを供給する剤供給部７１が設けられている。剤供給部７１は、処理剤Ａを貯蔵する剤容器７２と、この剤容器７２の内部に吸引側が接続されたポンプ７３と、このポンプ７３の吐出側に接続された剤吐出口７４とから構成されている。剤容器７２は、アーム部４０Ｂに対して着脱自在に設けられている。剤吐出口７４は、体毛処理装置２Ｂの剤容器６３の逆止弁６６に差し込まれることにより、逆止弁６６を開弁させる。
【００８１】
また、剤供給装置１Ｂの吐出パイプ２０の吐出口２０ｂは、洗浄位置に位置する体毛処理装置２Ｂの剤回収容器６９の底部に形成された貫通孔６９ａの上方に位置し、その貫通孔６９ａ内に洗浄液Ｂを吐出するようになっている。
【００８２】
このような構成において、本実施形態では、洗浄部１２の駆動と剤供給部７１の駆動とが１セットで行われる。具体的には、剤吐出口７４が体毛処理装置２Ｂの剤容器６３の逆止弁６６に差し込まれると共に体毛処理装置２Ｂが洗浄位置に位置した状態で、ヘッド部３の洗浄処理がなされるときには、吐出パイプ２０の吐出口２０ｂから、体毛処理装置２Ｂの剤回収容器６９の底部の貫通孔６９ａ内に洗浄液Ｂが吐出される。この洗浄液Ｂは、体毛処理装置２Ｂの剤回収部６２内を通り、吸引口６７から洗浄皿１７に吐出される。これにより、洗浄液Ｂによって、体毛処理装置２Ｂの剤回収部６２の洗浄がなされる。
【００８３】
また、この洗浄処理の際には、剤供給部７１のポンプ７３が駆動され、剤容器７２中の処理剤Ａが剤吐出口７４から、体毛処理装置２Ｂの剤容器６３内へ供給される。以上により、洗浄部１２の駆動と剤供給部７１の駆動とを１セットで行う制御手段の機能が実行される。
【００８４】
以上説明したように、本実施形態においては、洗浄部１２の駆動と剤供給部７１の駆動とが１セットで行われることにより、これらの駆動処理が終了すると、体毛処理装置２Ｂのヘッド部３はゴミが取り除かれて清潔な状態であると共に、肌面用剤供給部６１には処理剤Ａが供給された状態となっている。したがって、この体毛処理装置２Ｂを使用する際には、清潔な状態のヘッド部３に肌面用剤供給部６１から処理剤Ａを供給して除毛処理を行うことができる。よって、除毛処理において、ヘッド部３に残留していた毛くずなどのゴミが肌面に付着することにより使用者へ不快感を与えることを抑制することができる。
【００８５】
また、本実施形態によれば、洗浄部１２が、体毛処理装置２Ｂの剤回収部６２を洗浄することにより、剤回収部６２を清潔にすることができる。
【００８６】
［第４の実施形態］
次に、本発明の第４の実施形態を図１４に基づいて説明する。図１４は、本実施形態にかかる剤供給装置１Ｃを体毛処理装置２と共に示す縦断側面図である。なお、図１４は、ヘッド部３に処理剤Ａが供給された状態を示している。
【００８７】
本実施形態の剤供給装置１Ｃは、剤供給部１３Ｃが第１の実施形態に対して異なる。本実施形態の剤供給部１３Ｃには、処理剤Ａを吐出するポンプ３０は設けられておらず、代わりに、処理剤Ａを貯蔵する剤容器２８Ｃの上面に開口２８Ｃａが設けられており、この開口２８Ｃａから剤容器２８Ｃ中に体毛処理装置２のヘッド部３を直接入れることで、ヘッド部３に処理剤Ａを供給可能となっている。なお、剤容器２８Ｃには、混合液Ｄを貯蔵してもよい。
【００８８】
そして、支持部１１Ｃによってセット位置に位置付けられた体毛処理装置２のヘッド部３が、剤容器２８Ｃの開口２８Ｃａに対向するようになっている。
【００８９】
支持部１１Ｃのアーム部４０Ｃは、軸３９に連結されたベース部４０Ｃａと、このベース部４０Ｃａに図示しないスライド機構によってスライド自在に設けられると共に体毛処理装置２を保持するスライド体４０Ｃｂとから構成されている。スライド体４０Ｃｂは、ヘッド部３がセット位置に位置する第１位置と、ヘッド部３が剤容器２８Ｃ中に進入する第２位置との間でスライド自在に設けられると共に、第１位置で図示しないロック機構によりロックされる。このロック機構は、例えば係止構造であり、スライド体４０Ｃｂが第１位置から第２位置へ向かう方向ａへ移動するように規定以上の力が加えられると、ロック解除される。
【００９０】
また、本実施形態では、乾燥部１４は、図示しない乾燥用スイッチがＯＮ操作されることで、駆動するようになっている。
【００９１】
この構成では、体毛処理装置２のヘッド部３に対する洗浄部１２の洗浄が終了した後に、セット位置に戻された体毛処理装置２のヘッド部３に処理剤Ａを供給可能となっている。即ち、ヘッド部３の洗浄後、使用者が、スライド体４０Ｃｂに支持された体毛処理装置２をセット位置から剤容器２８Ｃに向かってスライド移動させて、ヘッド部３を剤容器２８Ｃ内へ進入させることで、ヘッド部３に剤容器２８Ｃ中の処理剤Ａが付着する。このとき、ヘッド部３は洗浄後であることにより、残留していた毛くずなどのゴミが取り除かれた状態の清潔なヘッド部３に処理剤Ａが供給されるので、除毛処理において、ヘッド部３に残留していた毛くずなどのゴミが肌面に付着することがない。よって、除毛処理において、ヘッド部３に残留していた毛くずなどのゴミが肌面に付着することにより使用者へ不快感を与えることを抑制することができる。
【００９２】
そして、使用者が乾燥用スイッチをＯＮすることで、乾燥部１４によってヘッド部３を乾燥させることができる。
【００９３】
また、この剤供給装置１Ｃは、ヘッド部３へ処理剤Ａを供給するためにポンプを用いないことにより、第１の実施形態に比べて、簡素な構成とすることができるので、装置を小型化、安価にすることができる。
【００９４】
なお、本発明は、本実施形態に限ることなく本発明の要旨を逸脱しない範囲で他の実施形態を各種採用することができる。
【００９５】
例えば、上記実施形態においては、処理剤Ａを供給するのにポンプ１９を用いた例を示したが、例えば、ポンプ１９を設けずに、体毛処理装置２のヘッド部３を剤容器２８内の処理剤Ａに直接当接させても良い。
【００９６】
また、処理剤Ａと液体Ｃとを別々の貯蔵部に貯蔵して、液体Ｃを霧化してヘッド部３に吐出させてもよい。
【図面の簡単な説明】
【００９７】
【図１】本発明の第１の実施形態にかかる剤供給装置を体毛処理装置と共に示す斜視図である。
【図２】体毛処理装置を示す正面図である。
【図３】体毛処理装置を示す底面図である。
【図４】剤供給装置を示す縦断側面図である。
【図５】体毛処理装置を支持した状態の剤供給装置を示す縦断側面図である。
【図６】洗浄時の剤供給装置を示す断面側面図である。
【図７】剤供給時の剤供給装置を示す縦断側面図である。
【図８】カートリッジを示す断面斜視図である。
【図９】剤供給装置の支持部を示し、（ａ）は、正面図、（ｂ）は、側面図である。
【図１０】剤供給装置の電気系を示すブロック図である。
【図１１】剤供給装置の剤供給処理の流れを示すフローチャートである。
【図１２】本発明の第２の実施形態にかかる剤供給装置を体毛処理装置と共に示す縦断側面図である。
【図１３】本発明の第３の実施形態にかかる剤供給装置を体毛処理装置と共に示す縦断側面図である。
【図１４】本発明の第４の実施形態にかかる剤供給装置を体毛処理装置と共に示す縦断側面図である。
【符号の説明】
【００９８】
１      剤供給装置
１Ａ    剤供給装置
１Ｂ    剤供給装置
１Ｃ    剤供給装置
２      体毛処理装置
２Ｂ    体毛処理装置
３      ヘッド部
１１    支持部
１１Ｂ  支持部
１１Ｃ  支持部
１２    洗浄部
１３    剤供給部
１３Ａ  剤供給部
１３Ｃ  剤供給部
１４    乾燥部
１５ａ  カートリッジ支持部
１８    フィルタ部
２８    剤容器
２８Ａ  剤容器
３３    カートリッジ
６１    肌面用剤供給部
６２    剤回収部
７２    剤容器
Ａ      処理剤
Ｂ      洗浄液
【図１】
2007089714.tif 000003
【図２】
2007089714.tif 000004
【図３】
2007089714.tif 000005
【図４】
2007089714.tif 000006
【図５】
2007089714.tif 000007
【図６】
2007089714.tif 000008
【図７】
2007089714.tif 000009
【図８】
2007089714.tif 000010
【図９】
2007089714.tif 000011
【図１０】
2007089714.tif 000012
【図１１】
2007089714.tif 000013
【図１２】
2007089714.tif 000014
【図１３】
2007089714.tif 000015
【図１４】
2007089714.tif 000016